(57)【要約】  【課題】画像データによる再生画像を表示する表示モニタとプリント写真を保持する写真保持部とを備えるフォトスタンドの消費電力を削減する。  【解決手段】開閉角度検出センサ１３ｃからの検出信号を用いて判定を行うことにより、フォトスタンドが手持ち状態もしくは操作中であって、プリント写真２３（図３）より液晶表示素子２０が観察される状態とみなした場合は自動的にブックモードへ切替え、フォトスタンドが載置状態であって、プリント写真２３（図３）より液晶表示素子２０が観察される状態とみなした場合は自動的にフレームモード１に切替え、フォトスタンドが載置状態であって、液晶表示素子２０よりプリント写真２３（図３）が観察される状態とみなした場合は自動的にフレームモード２に切替える。フレームモード２では、液晶表示をオフ、バックライト２０ａを消灯、カメラ２５の撮影を停止させるとともに、開閉角度検出センサ１３ｃを除く各ブロックへ供給する電力をオフさせる。  【選択図】図４
2006243137.tif 000002
【特許請求の範囲】
【請求項１】
画像データによる再生画像を表示する表示モニタと、
プリント写真を保持する写真保持部と、
前記プリント写真でなく前記表示モニタによる表示画像が観察される状態か否かを判定するとともに、その判定結果に応じて前記再生画像の表示をオン／オフするように前記表示モニタへ指示する表示制御手段とを備えることを特徴とするフォトスタンド。
【請求項２】
請求項１に記載のフォトスタンドにおいて、
フォトスタンドが載置される状態において載置面と接触するベース部、および前記表示モニタと前記写真保持部とが配設される表示部を回動自在に支持するヒンジ部材と、
前記ヒンジ部材の回動によって変化する前記ベース部および前記表示部間の相対角度を検出する角度検出手段とをさらに備え、
前記表示制御手段は、前記角度検出手段から出力される検出信号に基づいて前記表示画像が観察される状態を判定することを特徴とするフォトスタンド。
【請求項３】
請求項１に記載のフォトスタンドにおいて、
載置部材に載置される向きを検出する載置方向検出手段をさらに備え、
前記表示制御手段は、前記載置方向検出手段から出力される検出信号に基づいて前記表示画像が観察される状態を判定することを特徴とするフォトスタンド。
【請求項４】
請求項１または２に記載のフォトスタンドにおいて、
前記表示制御手段は、前記表示画像が観察される状態を否定判定した場合に前記表示モニタへ表示オフを指示することを特徴とするフォトスタンド。
【請求項５】
請求項４に記載のフォトスタンドにおいて、
フォトスタンドの揺動を検出する揺動検出手段をさらに備え、
前記表示制御手段は、前記揺動検出手段から揺動検出信号が出力された場合には前記表示オフを指示しないことを特徴とするフォトスタンド。
【発明の詳細な説明】
【技術分野】
【０００１】
本発明は、電子画像およびプリント写真鑑賞のためのフォトスタンドに関する。
【背景技術】
【０００２】
電子画像データによる再生画像を表示する電子式フォトフレームが知られている（特許文献１参照）。
【０００３】
【特許文献１】特開２００４−２９５０３３号公報
【発明の開示】
【発明が解決しようとする課題】
【０００４】
特許文献１の電子式フォトフレームは、記憶媒体が装着されたとき、この記憶媒体に画像データが記録されていれば再生表示を継続する。特許文献１には、このようなフォトフレームを省電力化する技術についての開示はない。
【課題を解決するための手段】
【０００５】
本発明によるフォトスタンドは、画像データによる再生画像を表示する表示モニタと、プリント写真を保持する写真保持部と、プリント写真でなく表示モニタによる表示画像が観察される状態か否かを判定するとともに、その判定結果に応じて再生画像の表示をオン／オフするように表示モニタへ指示する表示制御手段とを備えることを特徴とする。
請求項１に記載のフォトスタンドはさらに、フォトスタンドが載置される状態において載置面と接触するベース部、および表示モニタと写真保持部とが配設される表示部を回動自在に支持するヒンジ部材と、ヒンジ部材の回動によって変化するベース部および表示部間の相対角度を検出する角度検出手段とを備えてもよく、この場合の表示制御手段は、角度検出手段から出力される検出信号に基づいて表示画像が観察される状態を判定することもできる。
請求項１に記載のフォトスタンドはさらに、載置部材に載置される向きを検出する載置方向検出手段をさらに備えてもよく、この場合の表示制御手段は、載置方向検出手段から出力される検出信号に基づいて表示画像が観察される状態を判定することもできる。
請求項１または２に記載のフォトスタンドにおいて、表示制御手段は、表示画像が観察される状態を否定判定した場合に表示モニタへ表示オフを指示するとよい。
請求項４に記載のフォトスタンドにおいて、フォトスタンドの揺動を検出する揺動検出手段をさらに備えてもよく、表示制御手段は、揺動検出手段から揺動検出信号が出力された場合には表示オフを指示しないようにしてもよい。
【発明の効果】
【０００６】
本発明によれば、フォトスタンドに画像データによる再生画像を表示する表示モニタとプリント写真を保持する写真保持部とを備え、プリント写真ではなく表示モニタによる表示画像が観察される状態か否かを判定した結果に応じて再生画像の表示をオン／オフするようにしたので、表示画像が観察されないにもかかわらず表示が継続される場合に比べて消費電力を削減できる。
【発明を実施するための最良の形態】
【０００７】
以下、図面を参照して本発明を実施するための最良の形態について説明する。
（第一の実施形態）
図１は、本発明の第一の実施形態による鑑賞装置であるフォトスタンドを説明する三面図である。図１において、フォトスタンドは、液晶表示素子２０を有する表示部１１と、操作キー１５およびスタイラス入力部材１６を有する操作部（ベース部）１２とがヒンジ１３によって一体化される。ヒンジ１３は、回動軸Ｏを中心軸として回動自在に構成され、表示部１１および操作部１２間の相対角を任意の角度で支持する。操作部（ベース部）１２の重量は、表示部１１の重量より重いように構成されていることが望ましい。
【０００８】
フォトスタンドの使用形態について説明する。
（ブックモード）
図１のフォトスタンドは、ブックモードにおける使用形態を例示したものである。ブックモードにおけるフォトスタンドは、たとえば、表示部１１の液晶表示素子２０側の面（以下表示面と呼ぶ）１１ａと、操作部１２の操作キー１５やスタイラス入力部材１６側の面（以下操作面と呼ぶ）１２ａとが使用者（とくに目）の方向を向くように、ヒンジ１３が折り畳み状態（開閉角０とする）から約１８０度開かれた状態で、使用者によって手持ちされる。
【０００９】
使用者は、表示部１１の液晶表示素子２０に表示される画像や当該画像に関する情報を見ながら、操作キー１５を押下操作したり、スタイラスペン１７を用いてスタイラス入力部材１６へ書き込み入力したりする。液晶表示素子２０に表示させる画像は、操作キー１５やスタイラス入力部材１６からの操作信号によって後述する制御回路３１に指示される。
【００１０】
ブックモードでは、液晶表示素子２０が縦長画面として観察される。フォトスタンドは、縦長画面としての液晶表示素子２０に通常の横長画像を再生表示させる。この場合、再生表示画像の長辺（水平方向）を液晶表示素子２０の短辺に対応させて表示し、再生表示画像の短辺方向（垂直方向）の余白領域（図１において符号２１）に、当該再生画像データに付加されている情報（Exif情報）をテキスト表示する。図１の例では、Exif情報として、画像データファイル名「DSCNxxx1.JPG」、撮影日「2004/8/5」、撮影時刻「10:45」、撮影条件としてのシャッタースピード、絞り値「1/250 F2.8」が、再生画像の下部領域２１に表示されている。Exif情報として表示する項目は、操作キー１５からの操作によって適宜変更可能に構成されている。
【００１１】
スタイラスペン１７によってスタイラス入力部材１６から書き込み入力された情報「04年 ヨーロッパ旅行」は、Exif情報とともに画像データファイル内に記録可能に構成されている。したがって、画像データファイル内に付加記録された書き込み入力情報は、次回の再生表示時に他のExif情報とともに自動的に領域２１内に表示させることができる。
【００１２】
（フレームモード１）
図２は、フォトスタンドのフレームモード１における使用形態を例示する図である。ヒンジ１３が折り畳み状態から約２９０度開かれ、操作部１２の操作面１２ａを下側にして、机上などの平面に載置されている。表示部１１と操作部１２との挟角は約７０度である。使用者は、表示部１１の液晶表示素子２０に表示される画像を鑑賞する。
【００１３】
液晶表示素子２０に表示される画像は、たとえば、後述するメモリカード１８（図４）に記憶されている複数の画像ファイルに対応する画像データによる再生画像であり、これらを順次スライドショー表示したものである。また、複数の再生画像を順次スライドショー表示する代わりに、メモリカード１８に記憶されている所定の画像（たとえば、操作キー１５からの操作信号によってあらかじめ指定されている画像）を再生表示するように構成してもよい。
【００１４】
フォトスタンドは、横長画面としての液晶表示素子２０に通常の横長画像を再生表示させる。この場合、再生表示画像の長辺（水平方向）を液晶表示素子２０の長辺に対応させて表示する。Exif情報のテキスト表示を省略し、再生表示画像の表示サイズをブックモードにおいて液晶表示素子２０に表示される再生表示画像の表示サイズより大きくする。
【００１５】
（フレームモード２）
図３は、フォトスタンドのフレームモード２（フォトフレーム）における使用形態を例示する図である。ヒンジ１３が折り畳み状態から約８０度開かれ、操作部１２の裏面１２ｂを下側にして、机上などの平面に載置されている。表示部１１と操作部１２との挟角は約８０度である。表示部１１の裏面１１ｂには着脱可能な透明カバー２２が設けられており、表示部１１および透明カバー２２間にプリント写真２３が狭持される。使用者は、狭持されているプリント写真２３を鑑賞する。狭持されているプリント写真２３は、開閉角０度の折り畳み状態でも鑑賞可能であり、外観の装飾部としての機能も有する。
【００１６】
図４は、フォトスタンドの構成を説明するブロック図である。図４において、表示部１１側には液晶表示素子２０と、液晶駆動回路２０ｃと、バックライト２０ａと、バックライト駆動回路２０ｂとが含まれる。液晶駆動回路２０ｃは、後述する制御回路３１から出力される表示データに応じて液晶パネル駆動信号を生成し、生成した駆動信号で液晶表示素子２０を駆動する。具体的には、液晶表示素子２０の液晶層（不図示）に対して表示データに応じた電圧を画素ごとに印加する。電圧が印加された液晶層は液晶分子の配列が変わり、当該液晶層の光の透過率が変化する。
【００１７】
バックライト駆動回路２０ｂは、制御回路３１から出力される点灯指示に応じてバックライト２０ａを指示された輝度で点灯させる。点灯したバックライト２０ａは、液晶表示素子２０を照明する。バックライト２０ａによる照明光が液晶表示素子２０の液晶層を透過して変調されることにより、表示データによる再生像が表示される。
【００１８】
操作部１２側には、制御回路３１と、加速度センサ１９と、スタイラス入力部材１６と、操作キー１５と、バッテリ１４ａを有する電源１４と、カメラ２５とが含まれ、挿抜可能に構成されるメモリカード１８が装着されている。制御回路３１は、制御プログラムに基づいて、フォトスタンドを構成する各部から入力される信号を用いて所定の演算を行うなどして、フォトスタンドの各部に対する制御信号を送出することにより、カメラ動作、画像表示動作をそれぞれ制御する。なお、制御プログラムは制御回路３１内の不図示の不揮発性メモリに格納されている。
【００１９】
時計回路３１ａは制御回路３１に内蔵されており、クロック信号（不図示）を分周して時刻情報を生成する。
【００２０】
スタイラス入力部材１６は、使用者による入力操作に応じた入力信号を制御回路３１へ出力する。操作キー１５は、使用者による操作に応じた操作信号を制御回路３１へ出力する。メモリカード１８はフラッシュメモリなどの不揮発性メモリによって構成され、制御回路３１の指令によりデータの書き込み、保存および読み出しが可能である。電源１４は、ＤＣ／ＤＣ変換回路などで構成され、バッテリ１４ａの電圧をフォトスタンド内の各部で必要な直流電圧に変換し、変換後の電圧を各ブロックへ供給する。
【００２１】
カメラ２５はイメージセンサおよびイメージセンサ上に被写体像を結像する撮影レンズを含む。カメラ２５は、制御回路３１の撮影指示によって被写体像を撮像し、画像データに所定の信号処理を施した上で当該画像データを制御回路３１へ送出する。イメージセンサとしては、ＣＣＤやＣＭＯＳ撮像素子などが用いられる。カメラ２５は、フレームモード１の使用形態において、表示部１１の表示面１１ａと対向する主要被写体を撮影するように構成されている。
【００２２】
ヒンジ１３には開閉角度検出センサ１３ａおよびねじれ角度検出センサ１３ｂが内蔵されている。開閉角度検出センサ１３ａは、回動軸Ｏを中心に回動したヒンジ１３の開閉角の大きさに応じた検出信号を制御回路３１へ出力する。ねじれ角度検出センサ１３ｂについては後述する。
【００２３】
以上のフォトスタンドにおいて、表示部１１の液晶表示素子２０にメモリカード１８に記録されている画像データによる再生画像を表示させるには、制御回路３１がメモリカード１８から画像データを読み出し、読み出した画像データを用いて液晶表示素子２０の表示画素数に応じた表示データを生成し、生成した表示データを液晶駆動回路２０ｃへ送出するとともに、バックライト駆動回路２０ｂへ点灯指示を送る。
【００２４】
制御回路３１で行われる省電力のための表示制御処理について、図５に示すフローチャートを参照して説明する。制御回路３１は、フォトスタンドにバッテリ１４ａが装填されると図５による処理を繰り返す。
【００２５】
図５のステップＳ１１において、制御回路３１は、ヒンジ１３の開閉角が０〜９０度の範囲内か否かを判定する。制御回路３１は、開閉角度検出センサ１３ｃからの検出信号が開閉角０〜９０度の範囲に対応する場合にステップＳ１１を肯定判定してステップＳ１４へ進み、開閉角度検出センサ１３ｃからの検出信号が開閉角９０度を超える場合にはステップＳ１１を否定判定し、ステップＳ１２へ進む。ステップＳ１４へ進む場合は、フォトスタンドが載置され、液晶表示素子２０に表示される画像ではなくプリント写真２３が観察される状態とみなす。
【００２６】
ステップＳ１２において、制御回路３１は、ヒンジ１３の開閉角が９１〜２７０度の範囲内か否かを判定する。制御回路３１は、開閉角度検出センサ１３ｃからの検出信号が開閉角９１〜２７０度の範囲に対応する場合にステップＳ１２を肯定判定してステップＳ１５へ進み、開閉角度検出センサ１３ｃからの検出信号が開閉角２７０度を超える場合にはステップＳ１２を否定判定し、ステップＳ１３へ進む。ステップＳ１５へ進む場合は、フォトスタンドが手持ち状態もしくは使用者による操作中で、プリント写真２３ではなく液晶表示素子２０に表示される画像が観察される状態とみなす。
【００２７】
ステップＳ１３において、制御回路３１は、ヒンジ１３の開閉角が２７１〜３６０度未満の範囲内と判断してステップＳ１６へ進む。この場合は、フォトスタンドが載置され、プリント写真２３ではなく液晶表示素子２０に表示される画像が観察される状態とみなす。
【００２８】
ステップＳ１４において、制御回路３１は、フレームモード２（フォトフレーム）への切替えを行ってステップＳ１１へ戻る。フレームモード２への切替え処理では、液晶駆動回路２０ｃへ液晶表示素子２０の表示オフを指示し、バックライト駆動回路２０ｂへバックライト２０ａの消灯を指示し、カメラ２５に対する撮影停止を指示するとともに、開閉角度検出センサ１３ｃ、および制御回路３１を除く各ブロックへの電力供給をオフするように電源１４へ指示する。なお、既にフレームモード２に切替えられている場合は、フレームモード２を維持してステップＳ１１へ戻る。
【００２９】
ステップＳ１５において、制御回路３１は、ブックモードへの切替えを行ってステップＳ１１へ戻る。ブックモードへの切替え処理では、カメラ２５に対する撮影停止を指示し、カメラ２５に対する電力供給をオフ、カメラ２５を除く表示部１１内の各ブロックに対する電力供給をオンするように電源１４へ指示し、図１に示されるような液晶表示素子２０の表示態様として下記ａ１〜ｆ１の内容を液晶駆動回路２０ｃおよびバックライト駆動回路２０ｂに指示する。階調特性、彩度特性、および輪郭強調特性の変更に必要な画像処理は、制御回路３１によって行われる。なお、既にブックモードに切替えられている場合には、ブックモードを維持してステップＳ１１へ戻る。
【００３０】
ａ１．縦長画面としての液晶表示素子２０に通常の横長画像を再生表示させる。
ｂ１．再生表示画像の短辺方向の余白領域２１（図１）に、当該再生画像データに付加されているExif情報をテキスト表示する。
ｃ１．表示輝度（明るさ）を標準設定値にする。
ｄ１．階調特性（コントラストおよびγ特性を含む）を標準設定値にする。
ｅ１．彩度特性を標準設定値にする。
ｆ１．輪郭強調特性を標準設定値にする。
【００３１】
ステップＳ１６において、制御回路３１は、フレームモード１への切替えを行ってステップＳ１７へ進む。フレームモード１への切替え処理では、表示部１１内の各ブロックに対する電力供給をオンするように電源１４へ指示し、カメラ２５に対する撮影開始を指示し、図２に示されるような液晶表示素子２０の表示態様として下記ａ２〜ｆ２の内容を液晶駆動回路２０ｃおよびバックライト駆動回路２０ｂに指示する。なお、既にフレームモード１に切替えられている場合には、フレームモード１を維持してステップＳ１７へ進む。
【００３２】
ａ２．横長画面としての液晶表示素子２０に通常の横長画像を再生表示させる。
ｂ２．Exif情報の表示を省略する。
ｃ２．表示輝度（明るさ）を標準設定値より高める（明るくする）。
ｄ２．階調特性の設定値を、画像を派手に表示するように標準設定値から変更する。
ｅ２．彩度特性の設定値を、画像をあざやかに表示するように標準設定値から変更する。
ｆ２．輪郭強調特性を標準設定値より強くする。
【００３３】
ステップＳ１７において、制御回路３１は、カメラ２５によって得られるＡＦ（オートフォーカス）情報が所定距離より遠方に対応するか否かを判定する。制御回路３１は、カメラ２５から送信された画像データを用いて周知のＡＦ演算処理（たとえば、山登りＡＦ）を行うことにより、最至近の被写体までの距離を算出する。算出した距離が、たとえば、１ｍより遠い場合にステップＳ１７を肯定判定してステップＳ１８へ進む。制御回路３１は、算出した距離が１ｍ以下の場合にはステップＳ１７を否定判定し、ステップＳ１１へ戻る。なお、上記の測距手段は、三角測量の原理を用いた測距手段、レーザあるいは音波等を用いた測距手段、位相差方式の測距手段などであってもよい。
【００３４】
ステップＳ１８において、制御回路３１は、液晶駆動回路２０ｃへさらに強調を指示してステップＳ１１へ戻る。さらなる強調の指示が既に行われている場合には、当該強調を維持してステップＳ１１に戻ればよい。さらなる強調指示では、液晶表示素子２０の表示態様として以下の内容が液晶駆動回路２０ｃに指示される。
ｄ３．階調特性を通常のフレームモード１における設定値よりもさらに派手にする。
ｅ３．彩度特性を通常のフレームモード１における設定値よりもさらにあざやかにする。
ｆ３．輪郭強調特性を通常のフレームモード１における設定値よりもさらに強くする。
【００３５】
以上説明した第一の実施形態によれば、次の作用効果が得られる。
（１）開閉角度検出センサ１３ｃからの検出信号を用いて判定を行うことにより、フォトスタンドが手持ち状態もしくは操作中であって、プリント写真２３ではなく液晶表示素子２０が観察される状態とみなした場合は自動的にブックモードへ切替え（ステップＳ１５）、フォトスタンドが載置状態であって、プリント写真２３ではなく液晶表示素子２０が観察される状態とみなした場合は自動的にフレームモード１に切替え（ステップＳ１６）、フォトスタンドが載置状態であって、液晶表示素子２０ではなくプリント写真２３が観察される状態とみなした場合は自動的にフレームモード２に切替える（ステップＳ１４）ようにしたので、使用者による切替え操作を不要にできる。
（２）プリント写真２３が鑑賞されるフレームモード２では、液晶表示をオフ、バックライト２０ａを消灯、カメラ２５の撮影を停止させるとともに、開閉角度検出センサ１３ｃおよび制御回路３１を除く各ブロックへ供給する電力をオフさせるので、消費電力を大きく削減することができる。
【００３６】
（３）ブックモードでは、カメラ２５に対する撮影停止を指示し、カメラ２５に対する電力供給をオフ、カメラ２５を除く表示部１１内の各ブロックに対する電力供給をオンするようにしたので、カメラ２５による電力消費を抑えることができる。
【００３７】
（４）ブックモードでは、縦長画面としての液晶表示素子２０に再生画像を表示するとともに、余白領域２１に当該画像データに付随するExif情報を表示するようにしたので、使用者は、撮影日や撮影条件などの確認が容易に行える上に、スタイラス入力部材１６を用いてExif情報に情報を付加することも容易である。
【００３８】
（５）ブックモードでは、液晶表示素子２０の表示特性について上記ｃ１〜ｆ１の内容にしたので、メモリカード１８に記憶されている画像データによる再生画像が、表示特性を変えないでそのまま表示される。これにより使用者は、画像データが有する細かいグラデーションや解像感を観察できる。
【００３９】
（６）フレームモード１では、画像データに付随するExif情報の表示を省略し、横長画面としての液晶表示素子２０の画面いっぱいに再生画像を大きくフルサイズ表示したので、使用者は、フォトスタンドから離れた位置から表示画像を観察できる。
【００４０】
（７）フレームモード１では、液晶表示素子２０の表示特性について上記ｃ２〜ｆ２の内容にしたので、メモリカード１８に記憶されている画像データによる再生画像が、表示特性を変えて強調表示される。これにより使用者は、離れた位置からでも再生画像を鑑賞できる。なお、強調する内容は、上記ｃ２〜ｆ２のうち少なくとも１つでもよい。
【００４１】
（８）ブレームモード１において、最至近の被写体までの距離を算出し、算出した距離が１ｍより遠い場合には再生画像の表示特性をさらに強調するようにしたので、使用者は、より離れた位置からでも再生画像を鑑賞できる。なお、強調する内容は、上記ｄ３〜ｆ３のうち少なくとも１つでもよい。
【００４２】
上記（８）において表示特性を強調する距離は１ｍに限らず、たとえば、液晶表示素子２０の大きさに応じて適宜変更してよい。たとえば、１５インチの場合は１ｍ、２０インチの場合は３ｍとする。なお、ＡＦ情報に応じた表示特性の強調処理を省略してもよく、この場合にはカメラ２５を省略できる。
【００４３】
ヒンジ１３を回動軸Ｏと直交する軸Ｒ（図２）の回りにも回転可能なフリーアングルヒンジとして構成してもよい。この場合には、ねじれ角度検出センサ１３ｂが、回動軸Ｒを中心に回動する表示部１１の回動角の大きさに応じた検出信号を制御回路３１へ出力する。制御回路３１は、図２の状態（フレームモード１）から表示部１１が回動され、回動角が略１８０度（たとえば、１５０度〜２１０度）になると、フレームモード１からフレームモード２へ切り替える。
【００４４】
反対に、制御回路３１は、図３の状態（フレームモード２）から表示部１１が回動され、回動角が略１８０度（たとえば、１５０度〜２１０度）になると、フレームモード２からフレームモード１へ切り替える。
【００４５】
フレームモード１において表示輝度（明るさ）を標準設定値より高める上記ｃ２の構成は、バッテリ１４ａの残量に応じて行うようにしてもよい。バッテリ１４ａの残量が低下した場合には表示輝度を明るくしないことにより、バックライト２０ａで消費される電力を抑えてバッテリ１４ａの放電時間を延ばすことができる。
【００４６】
ヒンジ１３による開閉角に応じて表示制御を切替えるようにしたが、判定角度は上記説明の通りでなくてもよく、適宜設定してよい。
【００４７】
また、ヒンジ１３による開閉角が９１〜２７０度の範囲内の場合にフォトスタンドが手持ち状態もしくは使用者による操作中とみなすようにしたが、加速度センサ（図４参照）などでフォトスタンドの揺動を検出し、揺動が検出される場合に当該フォトスタンドが手持ち状態もしくは使用者による操作中とみなしてもよい。手持ち状態もしくは使用者による操作中とみなした場合には、ブックモードへの切替えを行う。
【００４８】
（第二の実施形態）
第二の実施形態による鑑賞装置であるフォトスタンドの使用形態について説明する。なお、第一の実施形態と共通する部分については説明を省略する。
（フレームモード１）
図６は、フレームモード１において使用されるフォトスタンド本体３０を説明する斜視図である。図６において、フォトスタンド本体３０は、液晶表示素子２０と操作キー１５とを有する面（以下表示面と呼ぶ）３０ａが使用者から観察されるように、載置台４０上に載置される。フォトスタンド本体３０には、フォトスタンド本体３０が表示面３０ａを手前にして載置台４０上に載置されたことを検出するスイッチ３５が配設されている。使用者は、液晶表示素子２０に表示される画像を鑑賞する。なお、載置台４０の凹部４０ａは、フォトスタンド本体３０が表示面３０ａの裏面である写真保持面３０ｂを手前にして載置台４０上に載置された場合に、スイッチ３５の作動を防止するために設けられている。
【００４９】
液晶表示素子２０に表示される画像は、たとえば、メモリカード１８（図８）に記憶されている複数の画像ファイルに対応する画像データによる再生画像であり、これらを順次スライドショー表示したものである。また、複数の再生画像を順次スライドショー表示する代わりに、メモリカード１８に記憶されている所定の画像（たとえば、操作キー１５からの操作信号によってあらかじめ指定されている画像）を再生表示するように構成してもよい。
【００５０】
（フレームモード２）
図７は、フレームモード２において使用されるフォトスタンド本体３０を説明する斜視図である。図７において、フォトスタンド本体３０は、写真保持面３０ｂが使用者から観察されるように、載置台４０上に載置される。写真保持面３０ｂには着脱可能な透明カバー２２が設けられており、透明カバー２２とフォトスタンド本体３０の筐体との間にプリント写真２３が狭持される。使用者は、狭持されているプリント写真２３を鑑賞する。
【００５１】
（フレームモード３）
フレームモード３は、フォトスタンド本体３０が手持ちされるモードである。使用者は、液晶表示素子２０に表示される画像を間近に鑑賞する。なお、操作キー１５から再生画像を指定する操作はこのモードで行われる。
【００５２】
図８は、フォトスタンド本体３０の構成を説明するブロック図である。図８において、図４の構成と同一部材には同一符号を記して説明を省略する。
【００５３】
加速度センサ１９はフォトスタンド本体３０の揺動を検出し、検出信号を制御回路３１へ出力する。制御回路３１は、検出信号に変化があれば揺動状態にあると判断し、検出信号に変化がなければ載置状態にあると判断する。
【００５４】
検出スイッチ３５は、押圧力が加えられるとオン信号を発し、押圧力が加えられない場合にはオフ信号を発する。検出スイッチ３５から出力される信号は、フォトスタンド本体３０が載置台４０上に載置された向きを検出するための信号として制御回路３１へ入力される。制御回路３１は、オン信号が入力された場合に表示面３０ａが観察される向きにあると判断し、オフ信号が入力された場合には写真保持面３０ｂが観察される向きにあると判断する。
【００５５】
以上のフォトスタンド本体３０において、液晶表示素子２０にメモリカード１８に記録されている画像データによる再生画像を表示させるには、制御回路３１がメモリカード１８から画像データを読み出し、読み出した画像データを用いて液晶表示素子２０の表示画素数に応じた表示データを生成し、生成した表示データを液晶駆動回路２０ｃへ送出するとともに、バックライト駆動回路２０ｂへ点灯指示を送る。
【００５６】
制御回路３１で行われる省電力のための表示制御処理について、図９に示すフローチャートを参照して説明する。制御回路３１は、フォトスタンド本体３０にバッテリ１４ａが装填されると図９による処理を繰り返す。
【００５７】
図９のステップＳ５１において、制御回路３１は、検出スイッチ３５がオンか否かを判定する。制御回路３１は、検出スイッチ３５からオン信号が入力された場合にステップＳ５１を肯定判定してステップＳ５２へ進み、オフ信号が入力された場合にはステップＳ５１を否定判定してステップＳ５３へ進む。ステップＳ５２へ進む場合は、フォトスタンド本体３０の表示面３０ａが観察される向きに載置されている状態とみなす場合であり、ステップＳ５３へ進む場合は、表示面３０ａが観察される向きと異なる（上下逆さも含む）、もしくはフォトスタンド本体３０が載置状態にないとみなす場合である。
【００５８】
ステップＳ５２において、制御回路３１は、フレームモード１への切替えを行ってステップＳ５１へ戻る。フレームモード１への切替え処理では、フォトスタンド本体３０内の各ブロックに対する電力供給をオンするように電源１４へ指示し、液晶表示素子２０の表示態様として上記ａ２〜ｆ２の内容を液晶駆動回路２０ｃおよびバックライト駆動回路２０ｂに指示する。なお、既にフレームモード１に切替えられている場合には、フレームモード１を維持してステップＳ５１へ戻る。
【００５９】
ステップＳ５３において、制御回路３１は、加速度センサ１９からの検出信号が所定時間（たとえば、５分間）継続して変化しないか否かを判定する。制御回路３１は、入力信号に変化がなかった場合にステップＳ５３を肯定判定してステップＳ５５へ進み、入力信号に変化があった場合にはステップＳ５３を否定判定し、ステップＳ５４へ進む。ステップＳ５４へ進む場合はフォトスタンド本体３０が手持ち状態とみなす場合であり、ステップＳ３へ進む場合はフォトスタンド本体３０が載置状態とみなす場合である。
【００６０】
ステップＳ５４において、制御回路３１は、フレームモード３への切替えを行ってステップＳ５１へ戻る。フレームモード３への切替え処理では、フォトスタンド本体３０内の各ブロックに対する電力供給をオンするように電源１４へ指示し、液晶表示素子２０の表示態様として上記ａ２、ｂ２、およびｃ１〜ｆ１の内容を液晶駆動回路２０ｃおよびバックライト駆動回路２０ｂに指示する。なお、既にフレームモード３に切替えられている場合には、フレームモード３を維持してステップＳ５１へ戻る。
【００６１】
ステップＳ５５において、制御回路３１は、フレームモード２への切替えを行ってステップＳ５１へ戻る。フレームモード２への切替え処理では、液晶駆動回路２０ｃへ液晶表示素子２０の表示オフを指示し、バックライト駆動回路２０ｂへバックライト２０ａの消灯を指示するとともに、制御回路３１、検出スイッチ３５および加速度センサ１９を除く各ブロックへの電力供給をオフするように電源１４へ指示する。なお、既にフレームモード２に切替えられている場合は、フレームモード２を維持してステップＳ５１へ戻る。
【００６２】
以上説明した第二の実施形態によれば、次の作用効果が得られる。
（１）検出スイッチ３５からの信号を用いて判定を行うことにより、液晶表示素子２０が観察される向きにフォトスタンド本体３０が載置されている（プリント写真２３は観察されない）とみなした場合は自動的にフレームモード１に切替え（ステップＳ５２）、液晶表示素子２０が観察される向きと異なる向きにフォトスタンド本体３０が載置されている（プリント写真２３が観察される）とみなした場合は自動的にフレームモード２に切替え（ステップＳ５５）、液晶表示素子２０が手持ち状態とみなした場合（プリント写真２３ではなく液晶表示素子２０が観察される）は自動的にフレームモード３へ切替える（ステップＳ５４）ようにしたので、使用者による切替え操作を不要にできる。
【００６３】
（２）プリント写真２３が鑑賞されるフレームモード２では、制御回路３１、検出スイッチ３５および加速度センサ１９を除くフォトスタンド本体３０内の各ブロックへの電力供給をオフするようにしたので、消費電力を大きく削減することができる。
【００６４】
（３）フレームモード３では、液晶表示素子２０の表示特性について上記ａ２、ｂ２、およびｃ１〜ｆ１の内容にしたので、メモリカード１８に記憶されている画像データによる再生画像が、表示特性を変えないでそのまま表示される。これにより使用者は、画像データが有する細かいグラデーションや解像感を観察できる。
【００６５】
（４）フレームモード１では、液晶表示素子２０の表示特性について上記ａ２〜ｆ２の内容にしたので、メモリカード１８に記憶されている画像データによる再生画像が、表示特性を変えて強調表示される。これにより使用者は、離れた位置からでも再生画像を鑑賞できる。なお、強調する内容は、上記ｃ２〜ｆ２のうち少なくとも１つでもよい。
【００６６】
フォトスタンド本体３０が載置台４０上に載置された向きを検出するために検出スイッチ３５を設けたが、検出スイッチ３５の代わりに姿勢センサを設け、姿勢センサの検出信号に基づいて載置された向きを判定するように構成してもよい。姿勢センサに代えて光センサを用いてもよい。
【００６７】
以上の説明では、液晶表示素子として透過型の液晶パネルを例示したが、透過型液晶パネルの代わりに反射型液晶や半透過型液晶を用いて構成してもよい。また、有機ＥＬ素子などの他のタイプのディスプレイデバイスを用いて構成することもできる。
【００６８】
特許請求の範囲における各構成要素と、発明を実施するための最良の形態における各構成要素との対応について説明する。表示モニタは、たとえば、液晶表示素子２０およびバックライト２０ａによって構成される。写真保持部は、たとえば、透明カバー２２によって構成される。表示制御手段は、たとえば、制御回路３１によって構成される。角度検出手段は、たとえば、開閉角度検出センサ１３ａ（ねじれ角度検出センサ１３ｂ）によって構成される。載置方向検出手段は、たとえば、検出スイッチ３５によって構成される。揺動検出手段は、たとえば、加速度センサ１９によって構成される。なお、以上の説明はあくまで一例であり、発明を解釈する上で、上記の実施形態の構成要素と本発明の構成要素との対応関係に何ら限定されるものではない。
【図面の簡単な説明】
【００６９】
【図１】本発明の第一の実施形態によるフォトスタンドを説明する三面図である。
【図２】フォトスタンドのフレームモード１における使用形態を例示する図である。
【図３】フォトスタンドのフレームモード２における使用形態を例示する図である。
【図４】フォトスタンドの構成を説明するブロック図である。
【図５】制御回路で行われる表示制御処理について説明するフローチャートである。
【図６】第二の実施形態によるフォトスタンドを説明する斜視図である。
【図７】第二の実施形態によるフォトスタンドを説明する斜視図である。
【図８】フォトスタンド本体の構成を説明するブロック図である。
【図９】制御回路で行われる表示制御処理について説明するフローチャートである。
【符号の説明】
【００７０】
１１…表示部
１１ａ…表示面
１１ｂ…裏面
１２…操作部
１２ａ…操作面
１２ｂ…裏面
１３…ヒンジ
１３ａ…開閉角度検出センサ
１３ｂ…ねじれ角度検出センサ
１４…電源
１４ａ…バッテリ
１５…操作キー
１６…スタイラス入力部材
１８…メモリカード
１９…加速度センサ
２０…液晶表示素子
２０ａ…バックライト
２０ｂ…バックライト駆動回路
２０ｃ…液晶駆動回路
２２…透明カバー
２３…プリント写真
２５…カメラ
３０…フォトスタンド本体
３１…制御回路
３５…検出スイッチ
Ｏ，Ｒ…回動軸
【図１】
2006243137.tif 000003
【図２】
2006243137.tif 000004
【図３】
2006243137.tif 000005
【図４】
2006243137.tif 000006
【図５】
2006243137.tif 000007
【図６】
2006243137.tif 000008
【図７】
2006243137.tif 000009
【図８】
2006243137.tif 000010
【図９】
2006243137.tif 000011